(57)【要約】【目的】  床面や地面に散乱した多量のゴミその他の物を効率的に収集してそれらの多量のゴミその他の物を一度に纏めて容器の中に収容することを可能にするゴミ等の収集用具を提供する。【構成】  上方が開口部となっているゴミ等収容部と、前記ゴミ等収容部の側方の床面又は地面と近接した位置に床面又は地面と略平行に配置可能とされ、床面又は地面上のゴミその他の物を取り込み可能なゴミ等受け部と、前記ゴミ等収容部の側方の位置に前記ゴミ等受け部に対して略直交する方向に配置され、その下方部分が前記ゴミ等受け部と固定又は一体的に形成され、且つ、前記ゴミ等収容部の開口部を覆うことができる形状に形成されているゴミ等受け支持部と、前記ゴミ等受け支持部を前記ゴミ等収容部に対して回動自在に接続するための接続部と、を備えたものである。【選択図】    図１
2008127173.tif 000002
【特許請求の範囲】
【請求項１】
内部にゴミその他の物を収容するためのゴミ等収容部であって、上方が開口部となっているゴミ等収容部と、
前記ゴミ等収容部の側方の床面又は地面と近接した位置に床面又は地面と略平行に配置可能とされ、床面又は地面上のゴミその他の物を取り込み可能なゴミ等受け部と、
前記ゴミ等収容部の側方の位置に前記ゴミ等受け部に対して略直交する方向に配置され、その下方部分が前記ゴミ等受け部と固定又は一体的に形成され、且つ、前記ゴミ等収容部の開口部を覆うことができる形状に形成されているゴミ等受け支持部と、
前記ゴミ等受け支持部の上方部分を前記ゴミ等収容部に接続するための接続部であって、前記ゴミ等受け支持部が、前記ゴミ等収容部の側方で前記ゴミ等受け部を床面又は地面と略平行に支持する第１の位置と、前記ゴミ等受け部に取り込まれたゴミその他の物を自らを介して前記ゴミ等収容部内に移動させる第２の位置と、前記ゴミ等収容部の開口部を覆う第３の位置とに相互に移動できるように、前記ゴミ等受け支持部を前記ゴミ等収容部に対して回動自在に接続するための接続部と、
を備えたことを特徴とする、ゴミ等の収集用具。
【請求項２】
請求項１において、前記ゴミ等受け部及び／又は前記ゴミ等受け支持部の側方には、前記ゴミ等受け部に取り込まれたゴミその他の物が前記ゴミ等受け部及び／又は前記ゴミ等受け支持部の側方から脱落してしまうことを防止するための側方カバーが備えられている、ことを特徴とするゴミ等の収集用具。
【請求項３】
請求項１において、前記ゴミ等受け部の前記ゴミ等受け支持部と反対側の端部には、その先端部が自重により床面又は地面に接触又は近接する突出部が備えられている、ことを特徴とするゴミ等の収集用具。
【請求項４】
請求項１において、前記ゴミ等収容部の底部には、一つ又は複数の車輪が備えられている、ことを特徴とするゴミ等の収集用具。
【請求項５】
請求項１において、前記ゴミ等収容部又は前記ゴミ等受け支持部の上端部又はその近傍部分には、前記ゴミ等収容部内に配置されるゴミその他の物の収容袋の上端部又はその近傍部分を係止するための係止部が備えられている、ことを特徴とするゴミ等の収集用具。
【請求項６】
請求項１において、前記ゴミ等受け支持部には、自らの回動時に前記ゴミ等受け部に取り込まれたゴミその他の物を前記ゴミ等収容部の内部に導くためのガイド部が備えられている、ことを特徴とするゴミ等の収集用具。
【請求項７】
請求項１において、前記ゴミ等収容部は、格子状の部材により略箱状に形成されている、ことを特徴とするゴミ等の収集用具。
【請求項８】
請求項１において、前記ゴミ等収容部は、略箱状に形成されており、その前記ゴミ等受け支持部と対向する側板以外の３つの側板の中の少なくとも一つの側板の全部又は一部が開閉可能に構成され、この開閉可能部分を開くことにより内部のゴミその他の物又はそれらの収容袋を外部に排出できるように構成されている、ことを特徴とするゴミ等の収集用具。
【請求項９】
請求項１において、前記ゴミ等受け支持部の前記ゴミ等収容部に近接する部分には、前記ゴミ等受け支持部から前記ゴミ等収容部に向かって延びるガイド板であって、前記ゴミ等受け支持部上のゴミその他の物を前記ゴミ等収容部内に導くためのガイド板が備えられている、ことを特徴とするゴミ等の収集用具。
【発明の詳細な説明】
【技術分野】
【０００１】
本発明は、床面や地面上のゴミその他の物を収集するためのゴミ等の収集用具に関する。
【背景技術】
【０００２】
従来より、床面や地面上のゴミその他の物を収集するためのゴミ等の収集用具が提案されている。例えば、特許文献１は、ゴミ容器の蓋部分をゴミのすくい具（塵取り）として使用できるような形状に加工して成る「すくい具付き貯蔵容器」のアイデアを開示している。
【特許文献１】特開平７−２１５４０７号公報
【発明の開示】
【発明が解決しようとする課題】
【０００３】
しかしながら、上記特許文献１に開示された発明では、ゴミ容器の蓋部分を塵取りとして兼用するというだけなので、ユーザーは、前記のゴミ容器の蓋（塵取りを兼ねる）を使用してゴミその他の物を収集する毎に、そのゴミその他の物をいちいちゴミ容器の中に入れる作業が必要であり、従来の塵取りを使用した清掃作業と比較してその煩雑さはほとんど軽減できない。
【０００４】
本発明はこのような従来技術の課題に着目してなされたものであって、床面や地面に散乱した多量のゴミその他の物を効率的に収集することを可能にし、さらに、その収集した多量のゴミその他の物を一度に纏めてゴミ容器の中に収容することを可能にして、ゴミ清掃作業を従来よりも大幅に容易化することができる、ゴミ等の収集用具を提供することを目的とする。
【課題を解決するための手段】
【０００５】
このような課題を解決するための本発明によるゴミ等の収集用具は、内部にゴミその他の物を収容するためのゴミ等収容部であって、上方が開口部となっているゴミ等収容部と、前記ゴミ等収容部の側方の床面又は地面と近接した位置に床面又は地面と略平行に配置可能とされ、床面又は地面上のゴミその他の物を取り込み可能なゴミ等受け部と、前記ゴミ等収容部の側方の位置に前記ゴミ等受け部に対して略直交する方向に配置され、その下方部分が前記ゴミ等受け部と固定又は一体的に形成され、且つ、前記ゴミ等収容部の開口部を覆うことができる形状に形成されているゴミ等受け支持部と、前記ゴミ等受け支持部の上方部分を前記ゴミ等収容部に対して接続するための接続部であって、前記ゴミ等受け支持部が、前記ゴミ等収容部の側方で前記ゴミ等受け部を床面又は地面と略平行に支持する第１の位置と、前記ゴミ等受け部に取り込まれたゴミその他の物を自らを介して前記ゴミ等収容部内に移動させる第２の位置と、前記ゴミ等収容部の開口部を覆う第３の位置とに移動できるように、前記ゴミ等受け支持部を前記ゴミ等収容部に対して回動自在に接続するための接続部と、を備えたことを特徴とするものである。
【０００６】
また、本発明によるゴミ等の収集用具においては、前記ゴミ等受け部及び／又は前記ゴミ等受け支持部の両側方には、前記ゴミ等受け部に取り込まれたゴミその他の物が前記ゴミ等受け部及び／又は前記ゴミ等受け支持部の側方から脱落してしまうことを防止するための側方カバーが備えられている、ことが望ましい。
【０００７】
また、本発明によるゴミ等の収集用具においては、前記ゴミ等受け部の前記ゴミ等受け支持部と反対側の端部には、その先端部が自重により床面又は地面に接触又は近接する突出部が備えられている、ことが望ましい。
【０００８】
また、本発明によるゴミ等の収集用具においては、前記ゴミ等収容部の底部には、一つ又は複数の車輪が備えられている、ことが望ましい。
【０００９】
また、本発明によるゴミ等の収集用具においては、前記ゴミ等収容部又はゴミ等受け支持部の上端部又はその近傍部分には、前記ゴミ等収容部内に配置されるゴミその他の物の収容袋の上端部又はその近傍部分を係止するための係止部が備えられている、ことが望ましい。
【００１０】
また、本発明によるゴミ等の収集用具においては、前記ゴミ等受け支持部には、自らの回動時に前記ゴミ等受け部に取り込まれたゴミその他の物を前記ゴミ等収容部の内部に導くためのガイド部が備えられている、ことが望ましい。
【００１１】
また、本発明によるゴミ等の収集用具においては、前記ゴミ等収容部は、格子状の部材により略箱状に形成されている、ことが望ましい。
【００１２】
さらに、本発明によるゴミ等の収集用具においては、前記ゴミ等収容部は、略箱状に形成されており、その前記ゴミ等受け支持部と対向する側板以外の３つの側板の中の少なくとも一つの側板の全部又は一部が開閉可能に構成され、この開閉可能部分を開くことにより内部のゴミその他の物又はそれらの収容袋を外部に排出できるように構成されている、ことが望ましい。
【００１３】
さらに、本発明においては、前記ゴミ等受け支持部の前記ゴミ等収容部に近接する部分には、前記ゴミ等受け支持部から前記ゴミ等収容部に向かって延びるガイド板であって、前記ゴミ等受け支持部上のゴミその他の物を前記ゴミ等収容部内に導くためのガイド板が備えられている、ことが望ましい。
【発明の効果】
【００１４】
本発明においては、ユーザーは、床面又は地面上に散乱している多量のゴミその他の物を、床面又は地面に近接して平行に配置されているゴミ等受け部に（箒などを使用して）取り込み、その後、前記ゴミ等受け支持部を前記接続部により回動させることにより、前記ゴミ等受け部に取り込まれたゴミその他の物を前記ゴミ等受け支持部を通過して前記ゴミ等収容部内に移動させることができる。よって、本発明によれば、床面又は地面上に散乱している多量のゴミその他の物の収集が極めて効率的かつ手軽にでるきようになる。
【００１５】
また、本発明においては、前記ゴミ等受け支持部を前記接続部により回動させて、前記ゴミ等受け部に取り込まれたゴミその他の物を前記ゴミ等収容部内に移動させた後に、さらに前記ゴミ等受け支持部を回動させて前記ゴミ等収容部の上方に配置させることにより、前記ゴミ等収容部の開口部を前記ゴミ等受け支持部により覆うようにする（前記ゴミ等受け支持部を前記ゴミ等収容部の開口部の蓋として利用する）ことができる。よって、本発明によれば、ゴミその他の物を収容した後のゴミ等の収集用具を戸外に放置しておく場合でも、前記ゴミ等収容部の上方の開口部を前記ゴミ等受け支持部により覆っておくことができるので、雨などが前記ゴミ等収容部内に入ることが防止できるようになる。
【００１６】
また、本発明において、前記ゴミ等受け部及び／又は前記ゴミ等受け支持部の側方に側方カバーを備えるようにしたときは、前記ゴミ等受け支持部を回動させたときに前記ゴミ等受け部に取り込まれたゴミその他の物が前記ゴミ等受け部及び／又は前記ゴミ等受け支持部の側方から脱落してしまうことを防止することができる。
【００１７】
また、本発明において、前記ゴミ等受け部の前記ゴミ等受け支持部と反対側の端部に、その先端部が自重により床面又は地面に接触又は近接する突出部を備えるようにしたときは、この突出部を介して床面又は地面上のゴミその他の物を容易に前記ゴミ等受け部に取り込めるようになる。
【００１８】
また、本発明において、前記ゴミ等収容部の底部に一つ又は複数の車輪を備えるようにしたときは、前記ゴミ等収容部及びこれに接続されている前記ゴミ等受け支持部及びゴミ等受け部を、ゴミなどが多い場所に向けて容易に移動させることができる。
【００１９】
また、本発明において、前記ゴミ等収容部又はゴミ等受け支持部の上端部又はその近傍部分に、前記ゴミ等収容部内に配置されるゴミ袋の上端部又はその近傍部分を係止するための係止部を備えるようにしたときは、前記ゴミ等収容部の中にゴミその他の物の収容袋を整然と配置することができ、前記ゴミ等受け部からのゴミその他の物を前記収容袋の中に容易に移動・収容させられるようになる。
【００２０】
また、本発明において、前記ゴミ等受け支持部に、自らの回動時に前記ゴミ等受け部に取り込まれたゴミその他の物を前記ゴミ等収容部の内部に導くためのガイド部を備えるようにしたときは、前記回動時に前記ゴミ等受け部に取り込まれたゴミなどの一部が前記ゴミ等収容部の外部にはみ出してしまうことを防止することができる。
【００２１】
また、本発明において、前記ゴミ等収容部を格子状の部材により略箱状に形成したときは、前記ゴミ等収容部の水洗いなどを極めて容易に行えるようになる。
【００２２】
さらに、本発明において、前記ゴミ等収容部を略箱状に形成し、前記ゴミ等収容部の前記ゴミ等受け支持部と近接・対向する側板以外の３つの側板の中の少なくとも一つの側板の全部又は一部を開閉可能に構成したときは、前記ゴミ等収容部内のゴミ又はゴミ袋を、上方に持ち上げて前記ゴミ等収容部の上方の開口部から排出するのではなく、前記開閉可能部分を開いてその開いた空間から横方向に移動させることにより前記ゴミ等収容部から排出できるようになる（重たいゴミ袋を上方向に持ち上げる必要がなくなる）ので、前記ゴミその他の物又はそれらの収容袋の排出が手軽にできるようになる。
【００２３】
さらに、本発明において、前記ゴミ等受け支持部の前記ゴミ等収容部に近接する部分に、前記ゴミ等受け支持部から前記ゴミ等収容部に向かって延びるガイド板を備えるようにしたときは、前記ガイド板によって、前記ゴミ等受け支持部上のゴミその他の物がスムーズに前記ゴミ等収容部内に導かれるようになる（なお、もし、このようなガイド板が無い場合は、前記ゴミ等受け支持部上のゴミその他の物が前記ゴミ等収容部又はその中のゴミその他の物の収容袋内に移動する途中に、小さいゴミその他の物が前記ゴミ等受け支持部と前記ゴミ等収容部又はその中のゴミ袋との間の隙間にこぼれ落ちてしまうなどの不都合が生じる恐れがある）。
【発明を実施するための最良の形態】
【００２４】
本発明を実施するための最良の形態は、以下の実施例１について述べるような形態である。
【実施例１】
【００２５】
図１は本発明の実施例１によるゴミ等の収集用具の構成を示す斜視図、図２は本実施例１を構成する一部の部品を説明するための分解斜視図である（なお図２においては後述の接続部４などは図示を省略している）。
【００２６】
図１及び図２において、１はステンレスなどの金属製の細長い棒を格子状に組み合わせて成る格子板により略箱状に形成され、その上方が開口部となっているゴミ等収容部（略箱状のゴミ容器）、２は前記ゴミ等収容部１の一側面の下方の床面又は地面の近接位置に床面又は地面と略平行に配置されたプラスチック製のゴミ等受け部である。また、３は、前記ゴミ等収容部１の側方の位置に前記ゴミ等受け部２に対して略直交する方向に配置され、その下端部３ｂが前記ゴミ等受け部２と固定（又は一体的に形成）され、且つ、前記ゴミ等収容部１の開口部を覆うことができる形状に形成されているプラスチック製のゴミ等受け支持部である。また、４は、前記ゴミ等受け支持部３の上端部３ａを前記ゴミ等収容部１の上端部に接続するための接続部であって前記ゴミ等受け支持部３を前記ゴミ等収容部１に対して図示α方向（及びその反対方向）に回動自在に接続するための接続部（ヒンジ部）である。
【００２７】
また、図１及び図２において、５は前記ゴミ等受け部２及び前記ゴミ等受け支持部３の両側方にそれぞれ固定され、平面が略三角形状に形成されたプラスチック製の側方カバーである（なお前記側方カバー５は前記ゴミ等受け部２及びゴミ等受け支持部３と一体的に形成されていてもよい）。前記側方カバー５は、前記ゴミ等受け部２に取り込まれたゴミが前記ゴミ等受け支持部３の回動時に前記ゴミ等受け部２及び前記ゴミ等受け支持部３の側方から脱落してしまうことを防止するためのものである。
【００２８】
また、図１及び図２において、６は前記ゴミ等受け部２の前記ゴミ等受け支持部３と反対側の端部２ａに備えられ、その先端部６ａが自重により床面又は地面に接触又は近接するように形成されたプラスチック製又はゴム製の突出部である。前記突出部６は、例えば、前記ゴミ等受け部２の端部２ａと接する部分６ｂの肉厚が薄く形成されることにより、前記先端部６ａが図示の矢印γ方向に回動可能となっている。
【００２９】
また、図１及び図２において、７は前記ゴミ等収容部１の底部の４隅にそれぞれ備えられた車輪、８は前記ゴミ等収容部１の上端部１ａの外側の面に備えられ、前記ゴミ等収容部１内に配置されるゴミ袋（図示せず）の上端部を係止するための係止部（ストッパー）、９は前記ゴミ等受け支持部３の上端部３ａの外側の面に備えられ、前記ゴミ等収容部１内に配置されるゴミ袋（図示せず）の上端部を係止するための係止部（ストッパー）、１０は前記側方カバーの外側の面に取り付けられたプラスチック製の取っ手、１１は前記ゴミ等収容部１の前記ゴミ等受け支持部３と反対側の側面の上端部１ａに取り付けられたプラスチック製の取っ手、である。なお、前記各係止部８，９は、例えば、前記ゴミ等収容部１又はゴミ等受け支持部３の上端部１ａ，３ａに回動可能に接続された金具がスプリングにより前記上端部１ａ，３ａの方向へ付勢される動作を利用して前記ゴミ袋（図示せず）の上端部を一時的に固定するものである。
【００３０】
次に、本実施例１の動作を図１、図３、図４、及び図５を参照して説明する。例えば戸外の庭（又は施設内の床など）の清掃作業を行うときは、ユーザーは、本実施例１のゴミ等受け支持部３及びゴミ等受け部２を、図１に示すように展開させる。このとき、ユーザーは、予め、前記ゴミ等収容部１の内部にゴミ袋（図示せず）を入れておく。そして、ゴミ袋（図示せず）の上端部を、前記ゴミ等収容部１の内側からその上端面を介してその外側の面に廻り込ませた上で、前記ゴミ等収容部１の各係止部８と前記ゴミ等受け支持部３の各係止部９により、前記ゴミ等収容部１と前記ゴミ等受け支持部３の各上端部１ａ，３ａの外側の面に係止する。
【００３１】
また、この図１に示す状態では、前記ゴミ等受け部２は庭の地面と近接した位置に地面と略平行に配置されている。すなわち、前記ゴミ等受け支持部３は、前記ゴミ等収容部１の側方で前記ゴミ等受け部２をそれが地面と略平行に位置するように支持している。また、このとき、前記突出部６は、その先端部６ａが自重により地面に接触している（本実施例１では、前述のように、前記突出部６と前記ゴミ等受け部２とを接続する部分６ｂの肉厚が薄く形成されているため、前記突出部６の自重により、前記先端部６ａが前記部分６ｂを支点として地面方向に回動する。なお、本実施例１では、前記部分６ｂの肉厚を薄く形成することに代えて、前記部分６ｂにヒンジ部を備えることによっても、前記先端部６ａに前記と同様の回動動作を行わせることができる）。
【００３２】
図１に示す状態では、ユーザーは、箒などを使用することにより、周囲の地面上のゴミその他の物を容易に前記突出部６から前記ゴミ等受け部２内に取り込むことができる。すなわち、前述のように、前記突出部６の先端部６ａが地面に近接しているので、この突出部６を従来の塵取りを使用するのと同様の要領で使用することにより、箒などで周囲のゴミその他の物を前記ゴミ等受け部２に取り込むことができる。また、このとき、ユーザーは、前記ゴミ等収容部１の取っ手１１を掴んで前記ゴミ等収容部１（前記車輪７により移動可能に構成されている）を押したり引いたりすることにより、本実施例１を、ゴミが多く散らかっている場所に移動させることができる。
【００３３】
次に、庭のゴミその他の物を前記ゴミ等受け部２に取り込んだ後は、ユーザーは、前記側方カバー５に取り付けられた取っ手１０を手に持って、前記ゴミ等受け部２及びゴミ等受け支持部３を、前記接続部（ヒンジ部）４を支点として図１の矢印α方向に回動させる。すると、前記ゴミ等受け部２及びゴミ等受け支持部３は、図３に示す状態に移行するが、このとき、前記ゴミ等受け部２に取り込まれたゴミ（図示せず）は、前記ゴミ等受け部２と前記ゴミ等受け支持部３との境界部分の近傍に移動（摺動）するが、前記側方カバー５により前記ゴミ等受け部２及びゴミ等受け支持部３の側方から脱落することが防止される。
【００３４】
そして、図３の状態からさらに矢印α方向に回動させると、図４に示すような状態になる。このとき、前記ゴミ等受け部２に取り込まれたゴミ（図示せず）は、ほぼ全て、自重により、前記ゴミ等受け支持部３の上を斜め下方向に摺動・下降して行き、前記ゴミ等収容部１内のゴミ袋（図示せず）の中に移動・落下する。
【００３５】
その後、図４の状態からさらに矢印α方向に回動させると、図５に示すような状態となる。この状態では、前記各側方カバー５が前記ゴミ等収容部１の２つの側板の外側にそれぞれ対向し、前記ゴミ等受け部２が前記ゴミ等収容部１の他の１つの側板の外側に対向し、前記ゴミ等受け支持部３が前記ゴミ等収容部１の開口部を上方から覆うように配置される（前記ゴミ等受け支持部３の平面は前記ゴミ等収容部１の開口部の面積よりも大きく形成されている）。よって、図５に示す状態では、前記ゴミ等受け支持部３が前記ゴミ等収容部１の蓋の役目を果たすので、前記ゴミ等収容部１の中にゴミその他の物を入れたまま戸外に放置しておく場合でも、雨水などが前記ゴミ等収容部１内に入って内部のゴミが濡れてしまうなどの不都合を防ぐことができる。
【００３６】
また、この図５に示す状態から、再び清掃作業を行うときは、前記ゴミ等受け支持部３の取っ手１０を掴んで、前記ゴミ等受け支持部３及びゴミ等受け部２を、前記接続部４を支点として図５の矢印β方向（前記矢印α方向と反対方向）に回動させることにより、前記の図１に示す状態に戻すことができる。
【００３７】
以上のように、本実施例１においては、ユーザーは、庭などに散乱している多量のゴミその他の物を、地面に近接し平行に配置されているゴミ等受け部２に箒などを使用して取り込み、その後、前記ゴミ等受け支持部３及びゴミ等受け部２を前記接続部４により回動させることにより、前記ゴミ等受け部２に取り込まれたゴミ（図示せず）を前記ゴミ等受け支持部３を介して前記ゴミ等収容部１内のゴミ袋（図示せず）の中に移動させることができる。よって、本実施例１によれば、庭などに散乱している多量のゴミの収集を極めて効率的かつ手軽に行えるようになる。
【００３８】
また、本実施例１においては、前記ゴミ等受け支持部３を前記接続部４により回動させて前記ゴミ等受け部２に取り込まれたゴミその他の物を前記ゴミ等収容部１内のゴミ袋の中に移動・収容させた後に、さらに回動させて前記ゴミ等受け支持部３を前記ゴミ等収容部１の上方に配置することにより、前記ゴミ等収容部１の開口部を前記ゴミ等受け支持部３で覆うことにより、前記ゴミ等受け支持部３を前記ゴミ等収容部１の開口部の蓋として利用するようにしている。よって、本実施例１によれば、ゴミその他の物を前記ゴミ等収容部１内に収容した後に戸外に放置しておく場合でも、前記ゴミ等収容部１の上方の開口部を前記ゴミ等受け支持部３により覆っておくことができるので、雨などが前記ゴミ等収容部１内に入ることを防止することができる。
【００３９】
また、本実施例１においては、前記ゴミ等受け部２及び前記ゴミ等受け支持部３の両側方にそれぞれ側方カバー５を備えるようにしている。よって、本実施例１によれば、前記ゴミ等受け支持部３を回動させる途中の段階で前記ゴミ等受け部２に取り込まれたゴミが前記ゴミ等受け部２及び前記ゴミ等受け支持部３の側方から脱落してしまうことを防止することができる。
【００４０】
また、本実施例１においては、前記ゴミ等受け部２の前記ゴミ等受け支持部３と反対側の端部に、その先端部６ａが自重により地面などに接触又は近接する突出部６を備えるようにしている。よって、本実施例１によれば、この突出部６を言わば「塵取りの先端部」のように使用して、庭などに散乱したゴミその他の物を容易に前記ゴミ等受け部２に取り込むことができる。
【００４１】
また、本実施例１においては、前記ゴミ等収容部１の底部に複数の車輪７を備えるようにしている。よって、本実施例１によれば、前記ゴミ等収容部１及びこれに接続されている前記ゴミ等受け支持部３及びゴミ等受け部２を、ゴミの多く散らかっている場所に容易に移動させることができる。
【００４２】
また、本実施例１においては、前記ゴミ等収容部１及びゴミ等受け支持部３の上端部に前記ゴミ等収容部１内のゴミ袋（図示せず）の上端部を係止するための係止部８，９を設けている。よって、本実施例１によれば、前記ゴミ等収容部１の中にゴミ袋を整然と配置することができ、前記ゴミ等受け部１からのゴミその他の物を前記ゴミ袋の中に容易に移動・収容できるようになる。
【００４３】
さらに、本実施例１においては、前述のように、前記ゴミ等収容部１を格子状の板部材により略箱状に形成するようにしている。よって、本実施例１によれば、戸外で前記ゴミ等収容部１に対して外部から水などを振り掛けることにより、前記ゴミ等収容部１の水洗いを容易に行えるようになる。
【実施例２】
【００４４】
次に、本発明の実施例２によるゴミ等の収集用具を説明する。本実施例２では、図６に示すように、前記ゴミ等受け部２とゴミ等受け支持部３の左右の前記各側方カバー５の近傍に、それぞれプラスチック製の仕切り板状のガイド部２１，２２が、前記側方カバー５と略平行に設けられている。また、本実施例２では、前記突出部６の横方向の長さを前記各ガイド部２１の間の距離に合わせるようにしている。以上より、本実施例２では、前記ゴミ等受け部２及び前記ゴミ等受け支持部３が回動してそれらの上のゴミが前記ゴミ等収容部１内に移動・落下するとき（図４に示す状態）に、前記ガイド部２１，２２により、前記ゴミ（特に粒径などが小さいゴミ）が前記ゴミ等収容部１の外側にはみ出して落下してしまうことが防止され、前記ゴミの全てが前記ゴミ等収容部１の内部（ゴミ袋の中）に有効に落下するように導かれる。なお、本実施例２では、前記ゴミ等受け支持部３がさらに回動して前記ゴミ等収容部１の開口部の上方に位置したとき（図５に示す状態）、前記ゴミ等収容部１の各上端部１ａの上端面が、前記側方カバー５と前記ガイド部２１，２２との間の溝部２３（図６参照）の中に嵌まり込むようになる。以上に説明した部分を除いては、本実施例２の内容は前記実施例１とほぼ同様であるので、説明を省略する。
【実施例３】
【００４５】
次に、本発明の実施例３によるゴミ等の収集用具を説明する。本実施例３では、図７に示すように、前記ゴミ等収容部１を構成する側板であって前記ゴミ等受け支持部３と近接・対向する側板以外の３つの側板の中の図示手前側の側板１ｂについて、その中の一部を、前記側板１ｂに対してドアのように開閉可能な開閉部１ｃとして構成するようにしている。すなわち、本実施例３では、前記開閉部１ｃを前記側板１ｂに対してヒンジ部２により回動自在に接続している。よって、本実施例３では、ユーザーは、前記ゴミ等収容部１内のゴミ袋を外部に排出するとき、前記開閉部１ｃを開いて前記ゴミ袋を横方向に移動させるだけで外部に排出することができる。すなわち、前記実施例１においては、前記ゴミ等収容部１内のゴミ袋を外部に排出しようとするときは、前記ゴミ袋を上方に持ち上げて上方の開口部から排出するしかないが、特にゴミ袋が重たい場合など、老人や女性などのユーザーにとってゴミ袋を上方に持ち上げることは容易ではない。これに対して、本実施例３では、前述のように前記開閉部１ｃを開けてゴミ袋を横方向に移動させるだけで外部に排出することができるので、重たいゴミ袋でも容易に前記ゴミ等収容部１の外に排出することができる。以上に説明した部分を除いては、本実施例３の内容は前記実施例１とほぼ同様であるので、説明を省略する。
【実施例４】
【００４６】
次に、本発明の実施例４によるゴミ等の収集用具を説明する。本実施例４では、図８に示すように、前記ゴミ等受け支持部３の前記ゴミ等収容部１に近接する上端部３ａの左右側方に、それぞれ、例えばプラスチック製の仕切り板状のガイド部３１が、前記側方カバー５に対して斜め内側方向に設けられている。本実施例４においては、前記ゴミ等受け部２及び前記ゴミ等受け支持部３が図示α方向に回動してそれらの上のゴミが前記ゴミ等収容部１内に移動・落下するとき（図８に示す状態）、前記ガイド部３１により、前記ゴミ（特に粒径などが小さいゴミ）が前記ゴミ等収容部１の外側にはみ出して落下してしまうことが防止され、前記ゴミの全てが前記ゴミ等収容部１の内部（ゴミ袋の中）に有効に落下するように導かれる。なお、図８において、３２は、前記ゴミ等受け支持部３が図８に示す状態からさらに回動して前記ゴミ等収容部１の開口部の上方に位置したとき（図５に示す状態）、前記ガイド部３１が、その中に入り込むための切り欠き部である。この切り欠き部３２は、「前記ゴミ等収容部１の各上端部１ａの上端面が前記ガイド部３１（前記ゴミ等受け支持部３上に突出するように構成されている）に当接してしまうことにより、前記ゴミ等受け支持部３が前記ゴミ等収容部１の開口部を有効に覆うことができなくなってしまうこと（前記ゴミ等受け支持部３が水平方向に配置できなくなってしまうこと）」を防止するためのものである。以上に説明した部分を除いては、本実施例４の内容は前記実施例１とほぼ同様であるので、説明を省略する。
【実施例５】
【００４７】
次に、本発明の実施例５によるゴミ等の収集用具を説明する。本実施例５では、図９，１０に示すように、前記ゴミ等受け支持部３の前記ゴミ等収容部１に近接する上端部３ａに、例えばプラスチック製又はゴム製の薄いガイド板であって前記ゴミ等収容部１の方向に延びるガイド板３３が、ヒンジ部３４により図の矢印ｄ方向に回動可能に接続されている。このガイド板３３は、望ましくは、図示しないバネにより前記ゴミ等収容部１の方向に付勢されている。また、図９，１０には図示されていないが、前記ガイド板３３の下側には、実施例１などで説明した接続部４及び係止部９が備えられており、前記ゴミ等収容部１内に配置されたゴミ袋（図示せず）の上端部の一部が前記係止部９により係止されている。本実施例５においては、前記ゴミ等受け部２及び前記ゴミ等受け支持部３が図示α方向に回動してそれらの上のゴミが前記ゴミ等収容部１内に移動・落下するとき（図１０に示す状態）、前記ガイド板３３により、前記ゴミ（特に粒径などが小さいゴミ）が前記ゴミ等受け支持部３と前記ゴミ等収容部１又はその中のゴミ袋（図示せず）との間の隙間にこぼれ落ちてしまうことが防止され、前記ゴミの全てが前記ゴミ等収容部１の内部（ゴミ袋の中）に有効に落下するように導かれる（もし、このようなガイド板３３が無い場合は、前記ゴミ等受け支持部３上のゴミが前記ゴミ等収容部１又はその中のゴミ袋内に移動する途中に、前記ゴミ受け支持３と前記ゴミ等収容部１又はその中のゴミ袋との間の隙間にこぼれ落ちてしまうなどの不都合が生じる恐れがある）。以上に説明した部分を除いては、本実施例５の内容は前記実施例１とほぼ同様であるので、説明を省略する。
【００４８】
以上、本発明の各実施例について説明したが、本発明及び本発明を構成する各構成要件は、それぞれ、前記の各実施例及び前記の各実施例を構成する各要素として述べたものに限定されるものではなく、様々な修正及び変更が可能である。例えば、前記各実施例においては、前記ゴミ等収容部１は格子状の板により略箱状に構成しているが、本発明はこれに限られるものではなく、例えば網状の板により構成してもよいし、隙間の無い平板（プラスチック製又は金属製の平板）により構成するようにしてもよい。また、前記各実施例においては、前記ゴミ等収容部１内のゴミ袋の前記ゴミ等受け支持部３側の上端部を係止するための係止部を、前記ゴミ等受け支持部３の上端部に設けるようにしている（図１の符号９参照）が、本発明ではこれに限られるものではなく、例えば前記ゴミ等収容部１の上端部の内側の面に係止部を設けるようにしてもよい。また、前記実施例２においては、前記ゴミ等受け部２及び前記ゴミ等受け支持部３の両側方にそれぞれ側方カバー５とガイド部２１，２２との双方を備えるようにしているが、本発明ではこれに限られるものではなく、いずれか一方のみを備える（例えば、前記側方カバー５に代えて前記ガイド部２１，２２のみを備える）ようにしてもよい。さらに、前記実施例３においては、前記ゴミ等収容部１を構成する側板であって前記ゴミ等受け支持部３と対向する側板以外の３つの側板の中、図７の図示手前の側板１ｂの中の一部を、前記開閉部１ｃとして、ドアのように開閉可能に構成したが、本発明ではこれに限られることなく、前記３つの側板の中の他の側板に前記開閉部（図７の符号１ｃ参照）を設けるようにしてもよい。また、前記各実施例では、前記ゴミ等受け支持部３とゴミ等受け部２とを上方に回動させて前記ゴミ等受け支持部３を前記ゴミ等収容部１の開口部に対向させたとき（図５に示す状態）、前記ゴミ等受け支持部３の上面は、平面状に形成されているので、様々な物を置くための台として使用することができる。
【００４９】
また、本発明のゴミ等の収集用具は、庭の枝葉などのゴミだけでなく、工場の内部で排出される鉄くずなどはもちろん、ゴミ以外の収集対象となる有体物、例えば果物、野菜、魚介類、穀類などの収集にも使用することができる。例えば、ミカン農園などで、落下したミカンを本発明を使用して収集する（この場合は、前記ゴミ等収容部の中に「ゴミ袋」ではなく「みかん収容袋」を入れておき、この中に多数のミカンを収容する）ようにしてもよいことはもちろんである。
【００５０】
また、本発明では、前記のゴミ等収容部、ゴミ等受け部、及びゴミ等受け支持部は、それぞれ互いに複数の部品に分解したりそれらを組み立てたりできるもの（組み立て式）として構成しておき、小売や通信販売などの際は、各部品に分解してコンパクトにした状態で収納・配送することが可能である。
また、本発明では、前記のゴミ等収容部、ゴミ等受け部、及びゴミ等受け支持部は、それぞれ互いに折り畳み式として構成することも可能である。すなわち、例えば図１の側方カバー５を折り畳み・折り曲げ可能な柔軟な素材（布、ジャバラ構造のプラスチック板、中央部分からヒンジ部で左右に折り畳み可能に接続した２枚の板、など）で形成し且つゴミ等受け部２とゴミ等受け支持部３とをヒンジ部で接続することにより、ゴミ等受け部２とゴミ等受け支持部３とを互いに折り畳み可能とすることができる。また、例えば図１のゴミ等収容部１の側板を折り畳み・折り曲げ可能な柔軟な素材（布、ジャバラ構造のプラスチック板、中央部分からヒンジ部で左右に折り畳み可能に接続した２枚の板、など）で形成することにより、図１の前記ゴミ等収容部１の前記ゴミ等受け支持部３側の側板とこれに対向する側板とを互いに折り畳み可能とすることができる。このように構成したときは、ユーザーは本発明を使用しない場合は、前記のゴミ等収容部、ゴミ等受け部、及びゴミ等受け支持部をそれぞれ互いに折り畳んでコンパクトにした状態で倉庫などに収納しておくことができる。
【図面の簡単な説明】
【００５１】
【図１】本発明の実施例１によるゴミ等の収集用具の構成を示す斜視図。
【図２】本実施例１によるゴミ等の収集用具の部品の構成を示す分解斜視図。
【図３】本実施例１によるゴミ等の収集用具の動作を説明するための図。
【図４】本実施例１によるゴミ等の収集用具の動作を説明するための図。
【図５】本実施例１によるゴミ等の収集用具の動作を説明するための図。
【図６】本発明の実施例２によるゴミ等の収集用具の構成及び動作を示す斜視図。
【図７】本発明の実施例３によるゴミ等の収集用具の構成及び動作を示す斜視図。
【図８】本発明の実施例３によるゴミ等の収集用具の構成及び動作を示す斜視図。
【図９】本発明の実施例４によるゴミ等の収集用具の構成及び動作を示す斜視図。
【図１０】本発明の実施例４によるゴミ等の収集用具の構成及び動作を示す斜視図。
【符号の説明】
【００５２】
１          ゴミ等収容部
１ａ      ゴミ等収容部の上端部
１ｂ      ゴミ等収容部の側板
１ｃ      開閉部
２          ゴミ等受け部
２ａ      ゴミ等受け部の端部
３          ゴミ等受け支持部
３ａ      ゴミ等受け支持部の上端部
３ｂ      ゴミ等受け支持部の下端部
４          接続部（ヒンジ部）
５          側方カバー
６          突出部
６ａ      突出部の先端部
７          車輪
８，９  係止部
１０，１１         取っ手
２１，２２，３１          ガイド部
２３      溝部
２５，３４      ヒンジ部
３２     切り欠き部
３３     ガイド板
【図１】
2008127173.tif 000003
【図２】
2008127173.tif 000004
【図３】
2008127173.tif 000005
【図４】
2008127173.tif 000006
【図５】
2008127173.tif 000007
【図６】
2008127173.tif 000008
【図７】
2008127173.tif 000009
【図８】
2008127173.tif 000010
【図９】
2008127173.tif 000011
【図１０】
2008127173.tif 000012